【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  原稿上を露光走査して当該原稿上の画像情報を読み取る画像読取装置であって、
前記原稿を搬送する原稿搬送手段と、
前記原稿搬送手段により搬送された前記原稿上の画像情報を露光走査するための光学系を備えた原稿画像走査露光装置と、
前記原稿画像走査露光装置と前記原稿との間における異物の有無を検出して当該異物の位置情報を出力する異物検出手段と、
前記異物検出手段から出力された前記位置情報により前記光学系の読取位置を制御する制御手段とを備え、
前記異物検出手段は、
前記原稿画像走査露光装置の画像有効領域の外側に設けられた超音波発振手段と、
前記画像有効領域の外側に設けられ、前記超音波発振手段により発振された超音波により発生する表面弾性波を部分的に反射する複数個の反射スリットと、
前記画像有効領域の外側に設けられ、複数個の前記反射スリットにより分波され減衰した前記表面弾性波を受信する超音波受信手段と、
前記超音波受信手段により受信された前記表面弾性波の波形情報に含まれる異物による吸収ピークを前記異物の位置情報に変換する変換手段と
を有することを特徴とする画像読取装置。
【請求項２】  前記異物検出手段は、
前記表面弾性波の減衰量を補正することにより前記波形情報を正規化し、
前記波形情報に含まれる異物による吸収ピークの検出閾値を設定することを特徴とする請求項１に記載の画像読取装置。
【請求項３】  前記異物の付着位置を表示する制御表示手段を備えていることを特徴とする請求項１に記載の画像読取装置。
【請求項４】  前記原稿画像走査露光装置と前記原稿との対向面を平面座標化し、
前記異物の位置情報を前記平面座標における座標数値に数値換算し、
前記異物の付着位置を座標表示する制御表示手段を備えていることを特徴とする請求項１に記載の画像読取装置。
【請求項５】  前記異物検出手段は、
前記異物検出手段に対する異物による押圧力を検出し、
前記押圧力を前記異物の位置情報と共に表示する制御表示手段を備えていることを特徴とする請求項１に記載の画像読取装置。
【請求項６】  前記原稿画像走査露光装置と前記原稿との対向面を平面座標化し、
前記対向面に複数の基準点を設け、
複数の前記基準点の座標情報を保存し、
保存された複数の前記基準点の座標情報と前記対向面における基準点の位置とを一致させ、
前記異物の位置情報を前記平面座標における座標数値に数値換算することにより、前記位置情報を補正する補正手段を備えていることを特徴とする請求項１に記載の画像読取装置。
【請求項７】  前記異物の位置情報に対応する前記原稿上の位置に隣接する位置の画像情報を数値平均化処理し、
前記異物により前記光学系で読み取られずに欠落した画像情報を前記数値平均化処理により平均化された画像情報で置換する画像処理手段を備えていることを特徴とする請求項１に記載の画像読取装置。
【請求項８】  原稿上を露光走査して当該原稿上の画像情報を読み取る画像読取装置と、
前記画像読取装置により読み取られた画像情報及び所定の動作モードに基づいて画像を形成する画像形成手段とを備えて任意の画像情報に基づく画像を形成する装置であって、
前記画像読取装置は、
前記原稿を搬送する原稿搬送手段と、
前記原稿搬送手段により搬送された前記原稿上の画像情報を露光走査するための光学系を備えた原稿画像走査露光装置と、
前記原稿画像走査露光装置と前記原稿との間における異物の有無を検出して当該異物の位置情報を出力する異物検出手段と、
前記異物検出手段から出力された前記位置情報により前記光学系の読取位置を制御する制御手段とを備え、
前記異物検出手段は、
前記原稿画像走査露光装置の画像有効領域の外側に設けられた超音波発振手段と、
前記画像有効領域の外側に設けられ、前記超音波発振手段により発振された超音波により発生する表面弾性波を部分的に反射する複数個の反射スリットと、
前記画像有効領域の外側に設けられ、複数個の前記反射スリットにより分波され減衰した前記表面弾性波を受信する超音波受信手段と、
前記超音波受信手段により受信された前記表面弾性波の波形情報に含まれる異物による吸収ピークを前記異物の位置情報に変換する変換手段と
を有することを特徴とする画像形成装置。
【手続補正２】
【補正対象書類名】明細書
【補正対象項目名】００１１
【補正方法】変更
【補正の内容】
【００１１】
【課題を解決するための手段】
上記問題を解決するために、本発明に係る画像読取装置は、原稿上を露光走査して当該原稿上の画像情報を読み取る画像読取装置であって、前記原稿を搬送する原稿搬送手段と、前記原稿搬送手段により搬送された前記原稿上の画像情報を露光走査するための光学系を備えた原稿画像走査露光装置と、前記原稿画像走査露光装置と前記原稿との間における異物の有無を検出して当該異物の位置情報を出力する異物検出手段と、前記異物検出手段から出力された前記位置情報により前記光学系の読取位置を制御する制御手段とを備え、前記異物検出手段は、前記原稿画像走査露光装置の画像有効領域の外側に設けられた超音波発振手段と、前記画像有効領域の外側に設けられ、前記超音波発振手段により発振された超音波により発生する表面弾性波を部分的に反射する複数個の反射スリットと、前記画像有効領域の外側に設けられ、複数個の前記反射スリットにより分波され減衰した前記表面弾性波を受信する超音波受信手段と、前記超音波受信手段により受信された前記表面弾性波の波形情報に含まれる異物による吸収ピークを前記異物の位置情報に変換する変換手段とを有することを特徴とするものである。
【手続補正３】
【補正対象書類名】明細書
【補正対象項目名】００１３
【補正方法】変更
【補正の内容】
【００１３】
このような異物検出手段においては、原稿画像走査露光装置の画像有効領域の外側に設けられた超音波発振手段により超音波が発振され、この超音波により発生する表面弾性波は、画像有効領域の外側に設けられた複数個の反射スリットにより分波され減衰させられる。そして、これらの反射スリットにより分波され減衰した表面弾性波は、画像有効領域の外側に設けられた超音波受信手段により受信される。このようにして超音波受信手段により受信された表面弾性波の波形情報に含まれる異物による吸収ピークが、変換手段により異物の位置情報に変換されて、異物が存在する場合には、その位置情報が出力される。
【手続補正４】
【補正対象書類名】明細書
【補正対象項目名】００１５
【補正方法】変更
【補正の内容】
【００１５】
また、本発明に係る画像形成装置は、原稿上を露光走査して当該原稿上の画像情報を読み取る画像読取装置と、前記画像読取装置により読み取られた画像情報及び所定の動作モードに基づいて画像を形成する画像形成手段とを備えて任意の画像情報に基づく画像を形成する装置であって、前記画像読取装置は、前記原稿を搬送する原稿搬送手段と、前記原稿搬送手段により搬送された前記原稿上の画像情報を露光走査するための光学系を備えた原稿画像走査露光装置と、前記原稿画像走査露光装置と前記原稿との間における異物の有無を検出して当該異物の位置情報を出力する異物検出手段と、前記異物検出手段から出力された前記位置情報により前記光学系の読取位置を制御する制御手段とを備え、前記異物検出手段は、前記原稿画像走査露光装置の画像有効領域の外側に設けられた超音波発振手段と、前記画像有効領域の外側に設けられ、前記超音波発振手段により発振された超音波により発生する表面弾性波を部分的に反射する複数個の反射スリットと、前記画像有効領域の外側に設けられ、複数個の前記反射スリットにより分波され減衰した前記表面弾性波を受信する超音波受信手段と、前記超音波受信手段により受信された前記表面弾性波の波形情報に含まれる異物による吸収ピークを前記異物の位置情報に変換する変換手段とを有することを特徴とするものである。